(57)【特許請求の範囲】
【請求項１】
親局を構成する伝送局と、複数の子局を構成する複数の伝送局の間をループ型伝送路により接続し、該伝送路に右回りと左回りの２つ回路を構成するための第１および第２の開閉手段を有する切替装置と、
前記親局側に配置され、前記各開閉手段を制御するためのものであって、該第１の開閉手段を開状態とし、該第２の開閉手段を閉状態にする制御装置と、
前記第１および第２の開閉手段の動作が反対になるように制御して、前記親局と前記子局の通信状態を確認し、通信異常を検出した子局から応答があり、かつ応答があった子局からの応答がなくなった場合は、前記伝送路が断線していると判断し、また、前記第１および第２の開閉手段を切り替えて通信状態に変化がない場合は、子局の故障と判断する異常検出手段と、
前記異常検出手段が伝送路の断線を検出した場合は、前記第１および第２の開閉手段の両方を閉状態とする開閉手段制御手段と、
前記親局内に配置され、前記子局の伝送路上の接続位置を記憶する子局位置記憶手段と、を備え、
前記異常検出手段により前記伝送路の断線を検出した場合の子局からの応答の有無と、前記子局位置記憶手段に記憶した子局位置に基づき前記伝送路の断線箇所の検出をおこなうことができる情報伝送装置。
【請求項２】
前記各子局と前記伝送路の接続点にそれぞれ接続され、右回りと左回りの２つ回路を構成するための第１および第２の開閉手段と、
前記伝送路に接続されている子局の位置を検出するため、前記子局側の開閉手段を制御し、前記子局が１個ずつ接続されるように制御する開閉手段制御装置と、
をさらに備え、前記開閉手段制御装置と前記開閉手段により前記子局が接続されている位置を前記子局位置記憶手段に記憶させるようにした請求項１に記載の情報伝送装置。
【請求項３】
前記親局に有するトランシーバと前記伝送路の接続点と、前記各子局に有するトランシーバと前記伝送路の接続点にそれぞれ接続され、ネットワークの終端を報知するためのターミネータと、
前記各ターミネータと前記伝送路の間に接続され、該各ターミネータの接続、非接続を行うターミネータ開閉手段と、
前記ターミネータ開閉手段に対して前記伝送路の断線を検出したとき、回線を切替、再度バス型の伝送路を構成した場合、該断線箇所の両脇の子局に対して、ターミネータの接続指令を与えるターミネータ制御手段と、
をさらに具備した請求項１〜請求項２のいずれか一つに記載の情報伝送装置。
【請求項４】
前記子局位置記憶手段は前記伝送路に接続される子局の位置を、前記親局が予めデータとして記憶するように構成し、末端の子局を認識し、前記ターミネータの接続指令を送信することで、正常な伝送路での前記ターミネータ接続制御が行える請求項１記載の情報伝送装置。
【請求項５】
前記伝送路に接続される子局の位置を、自動的に認識するためのものであって、電源オン時に前記各子局の第１および第２の開閉手段を１個づつオンする開閉手段制御装置をさらに備え、末端の子局を判断し、その子局にターミネータの接続指令を送信することにより、正常な伝送路でのターミネータ接続制御が行えることを特徴とする請求項３記載の情報伝送装置。
【発明の詳細な説明】
【０００１】
【発明の属する技術分野】
本発明は、複数の伝送局のうちの特定の伝送局（親局）と、他の伝送局（子局）の間に情報を伝送する情報伝送装置に関する。
【０００２】
【従来の技術】
従来、情報伝送装置の一例として、図８に示すように複数の伝送局のうちの特定の伝送局である親局１と、他の伝送局である子局２４，２５，２６，２７の間をバス型伝送路２８により電気的に接続し、親局１と、子局２４〜２７間を相互に情報を伝送するように構成したものがある。
【０００３】
親局１は、通信の制御を行う制御装置２と、トランシーバ（送受信器）３を備えている。子局２４は、親局１と同様に、制御装置１８とトランシーバ（送受信器）１９から構成され、他の子局２５〜２７も同様に制御装置１８とトランシーバ（送受信器）１９から構成されている。
【０００４】
バス型伝送路２８の末端には、それぞれターミネータ（終端抵抗Ｔ１、Ｔ２）１５Ａ、１６Ａを配置する構成になっている。ここで、ターミネータは通信電気ケーブルの特性インピーダンスと等しい抵抗器をケーブルの終端に接続することにより、ケーブルにおいて生ずる反射による波形歪みを防ぐためのものである。具体的には、ケーブルの端を開放したとき、信号は、ケーブルの中を波動として進み、ケーブル端で反射し、元の波形と反射波とは、時間がずれて重なることから、波形歪みが生じる。また、特性インピーダンスの異なるケーブルを接続したとき、接続部分で信号の一部分が反射し、残りが透過するので、波形歪みが生じる。この波形歪みを防止するため、ケーブルの端に接続する所定のインピーダンスの抵抗器のことをターミネータと呼んでいる。
【０００５】
なお、このような構成の情報伝送装置を、例えば鉄道車両用に適用するには、親局１を先頭車両に配置し、また子局２４〜２７は後続の車両に順次配置し、親局１と、子局２４〜２７の間にバス型伝送路２８Ａを配置接続する。
【０００６】
このようなバス型伝送路２８Ａの場合、伝送路上のある箇所が断線してしまうと、親局１と子局２４〜２７の通信できなくなる子局が発生するため、１ヵ所断線で正常な動作ができなくなる構成になっていた。
【０００７】
【発明が解決しようとする課題】
通常、伝送システムを構築する場合、伝送路の断線などを考慮し、１カ所断線などが発生しても、支障なく動作継続するような冗長性をもつシステムが望まれる。ループ型の伝送路は、このような冗長性をもつ１つの伝送路形態である。しかしバス型伝送路２８Ａの場合は、１カ所断線で、伝送システムが正常に動作しなくなる。
【０００８】
本発明は、伝送路が１ヵ所断線した場合、断線を検出して回線を切り替えることにより、正常な情報伝送が可能な情報伝送装置を提供することを目的とする。
【０００９】
【課題を解決するための手段】
前記目的を達成するため、請求項１に対応する発明は、親局を構成する伝送局と、複数の子局を構成する複数の伝送局の間をループ型伝送路により接続し、該伝送路に右回りと左回りの２つ回路を構成するための第１および第２の開閉手段を有する切替装置と、前記親局側に配置され、前記各開閉手段を制御するためのものであって、該第１の開閉手段を開状態とし、該第２の開閉手段を閉状態にする制御装置と、前記第１および第２の開閉手段の動作が反対になるように制御して、前記親局と前記子局の通信状態を確認し、通信異常を検出した子局から応答があり、かつ応答があった子局からの応答がなくなった場合は、前記伝送路が断線していると判断し、また、前記第１および第２の開閉手段を切り替えて通信状態に変化がない場合は、子局の故障と判断する異常検出手段と、前記異常検出手段が伝送路の断線を検出した場合は、前記第１および第２の開閉手段の両方を閉状態とする開閉手段制御手段と、前記親局内に配置され、前記子局の伝送路上の接続位置を記憶する子局位置記憶手段と、を備え、前記異常検出手段により前記伝送路の断線を検出した場合の子局からの応答の有無と、前記子局位置記憶手段に記憶した子局位置に基づき前記伝送路の断線箇所の検出をおこなうことができる情報伝送装置である。
【００１０】
前記目的を達成するため、請求項２に対応する発明は、前記各子局と前記伝送路の接続点にそれぞれ接続され、右回りと左回りの２つ回路を構成するための第１および第２の開閉手段と、前記伝送路に接続されている子局の位置を検出するため、前記子局側の開閉手段を制御し、前記子局が１個ずつ接続されるように制御する開閉手段制御装置と、をさらに備え、前記開閉手段制御装置と前記開閉手段により前記子局が接続されている位置を前記子局位置記憶手段に記憶させるようにした請求項１に記載の情報伝送装置である。
【００１１】
前記目的を達成するため、請求項３に対応する発明は、前記親局に有するトランシーバと前記伝送路の接続点と、前記各子局に有するトランシーバと前記伝送路の接続点にそれぞれ接続され、ネットワークの終端を報知するためのターミネータと、前記各ターミネータと前記伝送路の間に接続され、該各ターミネータの接続、非接続を行うターミネータ開閉手段と、前記ターミネータ開閉手段に対して前記伝送路の断線を検出したとき、回線を切替、再度バス型の伝送路を構成した場合、該断線箇所の両脇の子局に対して、ターミネータの接続指令を与えるターミネータ制御手段と、をさらに具備した請求項１〜請求項２のいずれか一つに記載の情報伝送装置である。
【００１２】
前記目的を達成するため、請求項４に対応する発明は、前記子局位置記憶手段は前記伝送路に接続される子局の位置を、前記親局が予めデータとして記憶するように構成し、末端の子局を認識し、前記ターミネータの接続指令を送信することで、正常な伝送路での前記ターミネータ接続制御が行える請求項１記載の情報伝送装置である。
【００１３】
前記目的を達成するため、請求項５に対応する発明は、前記伝送路に接続される子局の位置を、自動的に認識するためのものであって、電源オン時に前記各子局の第１および第２の開閉手段を１個づつオンする開閉手段制御装置をさらに備え、末端の子局を判断し、その子局にターミネータの接続指令を送信することにより、正常な伝送路でのターミネータ接続制御が行えることを特徴とする請求項３記載の情報伝送装置である。
【００１７】
【発明の実施の形態】
以下、本発明の実施形態の構成について図１〜図３を参照して説明する。図８の従来例と異なる点は、ターミネータ１５Ａ，１６Ａを有するバス型伝送路２８Ａを設けず、この代りにループ型（リング型）伝送路２８を準備し、これをループ型（リング型）伝送路２８を親局１のトランシーバ３と、各子局２４〜２７のトランシーバ１９の間に接続したものである。
【００１８】
そして、親局１に開閉手段例えば切替リレー接点１１，１２と、ターミネータ（Ｔ１）１５およびターミネータ開閉手段例えばターミネータ接続リレー接点１３からなる切替装置４を設け、トランシーバ３と伝送路２８の接続点に、接点１３を介してターミネータ１５を接続し、またトランシーバ３と伝送路２８の接続点に、接点１１，１２を接続したものである。
【００１９】
さらに、子局２４〜２７であって、子局２４〜２７の各トランシーバ１９と伝送路２８の接続点の間に、回路切替用開閉手段例えば回線切替リレー接点２０，２１をそれぞれ接続する。この場合、各接点２０，２１が伝送路２８に直列であって、各トランシーバ１９の入力側に接点２０，２１のいずれか一方が直列接続されるようにしたことである。
【００２０】
また、各子局２４〜２７の各トランシーバ１９の入力と接点２０，２１の接続点の間には、それぞれターミネータ接続リレー接点２３を直列に介挿してターミネータ２２がそれぞれ接続されている。
【００２１】
さらに、親局１の制御装置２には、切替制御部５、異常検出部６、ターミネータ制御部７、子局回線リレー制御部８、子局位置記憶部９、通信制御部１０を設けたものである。
【００２２】
切替制御部５は、回線切替リレ−接点１１、１２のいずれか一方例えば１１をオン、他方例えば１２をオフするように、あるいはこれらを逆の状態にするため、制御装置２内に設置されている図示しない２組の回線切替リレ−を制御するものである。
【００２３】
異常検出部６は、断線などにより親局１と子局２４〜２７との通信ができなくなつたこと検出するものである。ターミネータ制御部７は、ターミネータ１５、２２の入力側に接続されているターミネータ接続リレー接点１３，２３を入り切りするために、例えば制御装置２内に設置されているターミネータ接続リレー（図示せず）を制御するものである。
【００２４】
子局回線リレー制御部８は、回線切替リレ−接点２０，２１をオン、オフするために、例えば制御装置２内に設置されている子局回線切替リレー（図示せず）を制御するものである。
【００２５】
子局位置記憶部９は、伝送路２８上の子局２４〜２７を記憶するものである。通信制御部１０は、親局１と子局２４〜２７の間の通信のタイミングを制御するものである。
【００２６】
このような構成のものにおいて、各請求項に対応する実施形態について説明する。請求項１に対応する実施形態は、伝送路２８が断線した場合、親局１の制御装置２内の切替制御部５から切替装置４内の２組の回線切替リレ−接点１１、１２のうち、リレー接点１２だけオンさせるように制御することにより、図１に示すようにループ型伝送路２８は強制的にバス型伝送路となる。この結果、伝送路２８が断線しても正常な情報伝送が可能になる。
【００２７】
また、請求項１に対応する実施形態は、通常、親局１内の制御装置２内の通信制御部１０にて通信の制御を行い、断線などによりある子局２４〜２７との通信ができなくなつたこと検出する。異常検出部６では、該通信異常を検出したことで、切替制御部５に回線切替リレ−の接点１１、１２のうち、１１をオン、１２をオフするように要求し、２組の回線切替リレ−を制御する。この状態で、通信制御を行い、通信異常になっていた子局と通信ができるようになり、かつ通信ができていた子局との通信ができなくなることで、異常検出部６で伝送路２８が断線していることを判断し、回線切替リレ−の接点１１、１２を両方オンさせるように制御装置２から制御指示信号を出力し、再度バス型の伝送路を構成する。また、回線切替リレ−接点１１、１２を切替えても通信状態に変化がない場合は、子局の異常と判断して、切替装置４内の回線切替リレ−接点１１、１２を元の状態に戻すように制御する。
【００２８】
さらに、請求項１に対応する実施形態は、断線検出を行った場合は、あらかじめ親局１の制御装置２内の子局位置記憶部９に記憶された子局の位置と断線検出した時の通信状態から異常検出部６で断線箇所を特定するものである。
【００２９】
請求項２に対応する実施形態は、請求項１に対応する実施形態において、親局１、子局２４〜２７の電源オン時に、親局１内の切替装置４の回線切替リレ−接点１２のみをオンさせ伝送路をバス型にした状態で、全ての子局２４〜２７に対して、親局１側でない子局２４〜２７の回線切替リレ−接点２０をオフする指示を制御装置２から送信し、この状態で子局からの応答を待ち、応答があった子局が親局に最初に接続されていると判断する。
【００３０】
親局１は、この次に接続されている子局を判断するため、接続確認した子局２４〜２７に対して、オフしている方の回線切替リレ−接点２０をオンする指示を送信し応答を待ち、新しく応答がある子局がその次に接続されていると判断する。同様に順次リレーを１個づつオンしていき、新しく応答がある子局を認識し、接続順番を認識する。また、リレーをオンしても応答状態が前回のままの場合を末端の子局と判断することにより、子局の接続位置を自動的に判断し、その位置デ一タを子局位置記憶部９に格納し、断線を検出した場合に、断線検出時の子局からの応答と、自動的に判断した子局の位置より、断線箇所の検出を行うものである。
【００３１】
請求項３に対応する実施形態は、請求項１、２のいずれかに記載の発明に対応する実施形態において、断線箇所を検出し、親局１の切替装置４内の回線切替リレ−接点１１、１２を両方オンさせ、再度バス型の伝送路を構成する。
【００３２】
この後、断線した箇所の伝送路の末端部分にターミネータを接続するために末端の子局に対して、親局１の制御装置２からターミネータ接続指令を送信する。末端の２つの子局は、その指令を受信し、ターミネータを接続する制御を行う。この場合、親局１内ののターミネータはオフするように制御装置から制御するものである。
【００３３】
請求項４に対応する実施形態は、請求項１〜請求項２のいずれか一つに記載の実施形態において、正常伝送路（断線していない伝送路）でのターミネータ接続制御を行う場合、親局１の制御装置２内の子局位置記憶部９にあらかじめ子局の伝送路上の接続位置をデータとして記憶しておくことにより、どの子局が末端の子局かを認識し、その子局に対して、電源オン時にターミネータ接続指令を送信し、ターミネータ接続リレーの接点２３を接続するものである。また、もう片方のターミネータは、親局１内のターミネータ１５を接続するためのターミネータ接続リレ−接点１３をオンすることで、正常伝送路でのターミネータ接続制御を行うものである。
【００３４】
請求項５に対応する実施形態は、請求項１に対応する実施形態において、正常伝送路（断線していない伝送路）でのターミネータ接続制御を行う場合、電源オン時に自動的に子局の接続順番を認識することにより、自動的に末端の子局を判断し、その子局に対して、ターミネータ接続指令を送信し、ターミネータ接続リレの接点２３を接続するものである。また、もう片方のタ−ミネータは、親局１内のターミネータ１５を接続するためのターミネータ接続リレ−接点１３をオンすることで、正常伝送路でのターミネータ接続制御を行うものである。
【００３５】
以上述べた本発明の実施形態の作用効果について、図４〜図７を参照して説明する。
【００３６】
図４は、電源をオン状態にして、正常動作できる状態の伝送路２８の構成を示し、図５は、電源をオン状態から正常伝送路２８の構成になるまで動作の流れを説明するためのフロチャートである。図４に示す親局１、子局２４〜２７の電源をオンにした時、親局１の制御装置２は、切替装置４内の回線切替リレ−接点１１、１２のうち、接点１１はオフ、接点１２はオンになるように制御し（Ｓ１）、ループ型伝送路２８の配線を強制的にバス型伝送路にして使用する。
【００３７】
また、子局２４〜２７はそれぞれ、回線切替リレ−接点２０、２１をオンにし、ターミネータ２２を接続しないようにターミネータ接続リレ−接点２３をオフにする制御を子局２４〜２７の制御装置１８で行う（Ｓ２）。
【００３８】
このようにすることにより、伝送路２８が構成されるため、次にターミネータ１５，２２の接続制御を行う。具体的には、親局１では制御装置２によりターミネータ接続リレー接点１３をオンさせることにより、ターミネータ１５を接続し、また子局２４〜２７内のターミネータ接続リレー接点２３を子局２４〜２７内の制御装置１８によりオンさせることにより、ターミネータ２２をそれぞれ接続する。
【００３９】
この状態で、末端の子局２４〜２７の位置を認識するために親局１の制御装置２は、子局２４〜２７の一方の回線切替リレー接点２０を全てオフするように、全ての子局２４〜２７に対して送信する。すると、子局２４〜２７は送信指令を受けそれぞれの子局２４〜２７の制御装置１８は、回線切替リレー接点２０をオフにする（Ｓ３）。
【００４０】
そして、次に述べるＳ４〜Ｓ７により、子局２４〜２７内の回線切替リレー２０，２１を１個ずつオンして子局２４〜２７の接続順番を認識する。すなわち、親局１の制御装置２は、子局２４〜２７からの通信応答を待ち、応答が返ってきた子局が最初に接続されていると判断する。図４では子局２７、その子局の番号を接続順番がわかるように子局位置記憶部９内の子局位置認識エリアに格納する。
【００４１】
次に、制御装置２は、応答が返ってきた子局に対して、オフしている回線切替リレ−接点２０をオンするように送信する。その子局は、その指令を受け、回線切替リレ−接点２０をオンさせる。さらにこの状態での子局からの応答を待ち、新たに応答が返ってきた子局が、その次に接続されていると判断する［図４では子局２６］。同様に、新たに応答があった子局２５の回線切替リレ−接点２０を１個づつオンしていくことにより、接続順番を認識し、子局位置記憶部９内の子局位置認識エリアに格納していく（Ｓ５、Ｓ６、Ｓ７）。
【００４２】
また、Ｓ４において、子局からの新たな応答がない場合は、そこが末端の予局（ここでは２４）であると判断する。
【００４３】
このように子局の接続順番を認識後、末端の子局［図４では子局２４］に対して、制御装置２からターミネータ接続リレー接点２３に対して接続指令を送信し、接点２３をオンさせることで、ターミネータ２２を接続する。
【００４４】
以上のようにループ型伝送路２８から強制的にバス型伝送路の構成、及びターミネータ２２を接続するターミネータ接続制御を行い、バス型伝送路の構成動作を完了することになる。
【００４５】
以上述べたように、子局２４〜２７の接続位置が認識され、これが子局位置記憶部９に格納され、親局１と子局２４〜２７の間で、情報の伝送が正常に行われている状態で、伝送路２８が断線した場合の動作を、図６と図７を参照して説明する。
【００４６】
図６は、伝送路２８の断線が発生した場合の構成を示し、図７は、断線が発生してから回線を切替え、バス型伝送路を再構成する場合のフローチャートを示している。
【００４７】
図６において、子局２５と子局２６の間であって、図のＸに示す位置（図の２９）に断線が生じた場合を考える。この場合、断線したことにより、子局２４、２５からの通信応答がなくなり、通信異常を親局１の制御装置２の異常検出部６で検出する（Ｓ１１）。
【００４８】
通信異常を検出した制御装置２は、取りあえず断線であると判断し、切替装置４内の回線切替リレ−接点１１をオン、回線切替リレ−接点１２をオフさせる（Ｓ１２）。
【００４９】
この状態で、回線を切替えることにより子局２４，２５から通信応答があるかどうかを判断する（Ｓ１３）。通信異常を検出していた子局２４、２５から応答があり、かつ応答があった子局２６、２７から応答がなくなった場合は、伝送路２８において、子局２５，２６の間で断線していると判断する。
【００５０】
伝送路２８の断線と判断した場合は、ターミネータの接続制御を行う必要がある。これは、子局の位置をあらかじめ子局位置記憶部９で記憶されている子局位置データから設定したデータと、通信異常となったデータから断線箇所を認識するものである。この例では、図６の子局２５、２６の間の伝送路２８において断線していると判断する（Ｓ１４）。
【００５１】
断線箇所を認識後、子局２５，２６に対してターミネータ２２の接続制御を行うため、断線箇所の両端の子局２５，２６に対して、ターミネータ２２の接続指示、すなわちターミネータ接続リレー接点２３に対して指示を与える。図６では子局２５と子局２６のターミネータ接続指示する（Ｓ１５）。ターミネータ接続指示を受けた子局２５，２６はターミネータ２２を接続するため、ターミネータ接続リレー接点２０をオンさせる。
【００５２】
そして、今まで接続していたターミネータはオフするように制御する。具体的には、ターミネータ接続リレ−接点１４と、ターミネータ接続リレ−接点２３をオフさせるとともに、親局１内のターミネータ接続リレー接点１３をオフにさせる（Ｓ１６）。
【００５３】
なお、Ｓ１３において、子局２４，２５から応答がないとき、回線切替リレー接点１１、１２を切替えて元に戻しても［接点１１がオフ、接点１２がオン］、通信状態に変化がない場合は、子局２５，２６の故障と判断する（Ｓ１７、Ｓ１８）。
【００５４】
このように、伝送路２８が断線した場合には、ループ型伝送路２８をバス型伝送路に再構成を行うものである。
【００５５】
以上述べた実施形態によれば、ループ型の伝送路２８を強制的にバス型伝送路として使用することにより、伝送路が１ヵ所断線した場合においても、回線を切り替えることにより、再度バス型伝送路が構成できることから、正常な情報伝送が可能となる。
【００５６】
また、親局１と子局２４〜２７内にターミネータ１５、２２を持ち、ターミネータ１５、２２の接続のオン、オフが行えるようにリレーを設けることにより、正常状態時のターミネータ接続制御及び、断線検出した場合のターミネータ接続制御が行えるため、伝送路が断線した場合においても、正常な動作が継続できる。
【００５７】
＜変形例＞
前述の実施形態では、親局１内であって、切替装置４内の回線切替リレー接点と伝送路２８の接続点に、ターミネータ接続リレー接点１４を介してターミネータ（Ｔ２）１６を接続していない場合について説明したが、図１に示すように、ターミネータ接続リレー接点１４とターミネータ１６を追加して接続するようにしてもよい。このように構成することにより、正常の伝送路（断線していない伝送路）でのターミネータ接続制御を行う場合、電源オン時に、子局のターミネータ２２は全てオフするように親局１の制御装置２から送信し、親局１内の２個のターミネータ１５、１６のみを接続することより、子局２４〜２７の位置には関係なく、正常伝送路でのターミネータ接続制御を行うことができる。
【００５８】
また、以上述べた回線切替リレー接点１１、１２、２０、２１およびターミネータ接続リレー接点１３、１４、２３は、これに限らず他の回路開閉手段であればなんでもよい。
【００５９】
さらに、親局１において、設置されている制御装置２内に有する子局位置記憶部９には、親局１と子局２４〜２７の電源をオンした後に、子局２４〜２７が伝送路２８に接続されている位置を確認し、これを記憶させたり、あるいは子局２４〜２７が伝送路２８に接続されている位置が予め判っている場合には、これを予め子局位置記憶部９に記憶しておくこともできる。
【００６０】
【発明の効果】
以上述べた本発明によれば、伝送路が１ヵ所断線した場合、断線を検出して回線を切り替えることにより、正常な情報伝送が可能な情報伝送装置を提供できる。
【図面の簡単な説明】
【図１】本発明の情報伝送装置の実施形態を示す概略構成図。
【図２】図１の親局（伝送局）の構成図。
【図３】図１の子局（伝送局）の構成図。
【図４】図１の実施形態において、電源オンからターミネータ接続までの動作を説明するための構成図。
【図５】図１の実施形態において、電源オンからターミネータ接続までの動作を説明するためのフローチャート。
【図６】図１の実施形態において、伝送路断線からバス型伝送路再構成までの動作を説明するための構成図。
【図７】図１の実施形態において、伝送路断線からバス型伝送路再構成までの動作を説明するためのフローチヤート。
【図８】従来のバス型伝送路を有する情報制御装置の一例を示す概略構成図。
【符号の説明】
１…伝送局（親局）
２…制御装置（親局）
３…トランシーバ（親局）
４…切替装置（親局）
５…切替制御部
６…異常検出部
７…ターミネータ制御部
８…子局回線リレー制御部
９…子局位置記憶部
１０…通信制御部
１１…回線切替リレ−接点
１２…回線切替リレ−接点
１３…ターミネータ接続リレ−接点
１４…ターミネータ接続リレ−接点
１５…ターミネータ
１６…ターミネータ
１７…伝送局（子局）
１８…制御装置（子局）
１９…トランシーバ（子局）
２０…回線切替リレ−接点
２１…回線切替リレ−接点
２２…ターミネータ
２３…ターミネータ接続リレ−接点
２４…伝送局（子局）
２５…伝送局（子局）
２６…伝送局（子局）
２７…伝送局（子局）
２８…伝送路
２９…断線位置
【図１】
0003679944.tif 000002
【図２】
0003679944.tif 000003
【図３】
0003679944.tif 000004
【図４】
0003679944.tif 000005
【図５】
0003679944.tif 000006
【図６】
0003679944.tif 000007
【図７】
0003679944.tif 000008
【図８】
0003679944.tif 000009